(57)【要約】      （修正有）【課題】従来のアンプ装置において、実際の楽曲を鳴らしながら練習をする為には、外部にテープデッキ、CDデッキ等を接続するか、ステレオ等のオーディオ装置を使用して楽曲を鳴らす必要があり、煩雑であること、各装置の設置にスペースを要すること等の問題点があった。またリズム楽器等の自動伴奏を付ける場合においても外部に自動伴奏装置を付加する必要があり、前述と同様な問題点が考えられた。【解決手段】録音装置とスピーカを内蔵したアンプ本体と、アンプ本体に設けたギター及び/又はヘッドフォン等のプラグを差込む各端子と、音の歪み・音量調整等をコントロールする各摘みと、高・中等の音域をコントロールする各摘みと、また録音装置の録音のスタンバイ・録音の開始等を司る各ボタンと、録音装置の録音のスタンバイ・録音停止及び/又は再生を示す各ランプと、ギターアンプ等用のスイッチとで構成したギターアンプである。【選択図】図1
0003102077.tif 000002
【実用新案登録請求の範囲】
【請求項１】
録音装置とスピーカ等の音響機器を内蔵してなるアンプ本体と、このアンプ本体に設けたギター及び/又はヘッドフォン等のプラグを差込む各端子と、音の歪み・音量調整等をコントロールする各摘みと、高・中等の音域をコントロールする各摘みと、また前記録音装置の録音の再生、またこの録音装置の録音のスタンバイ、録音装置の録音の開始、又はこの録音装置の録音及び/又は再生の停止をコントロールする各ボタンと、この録音装置の録音の再生と、また録音装置の録音のスタンバイ、録音装置の録音の開始、又はこの録音装置の録音及び/又は再生の停止を表示する各ランプと、ギターアンプ及び/又は前記録音装置のON・OFFをコントロールするスイッチとで構成したギターアンプ。
【請求項２】
請求項1に記載の各ランプをLEDで構成し、前記ランプの輝度の特徴を発揮できる構成としたギターアンプ。
【考案の詳細な説明】
【技術分野】
【０００１】
本考案は、録音及び/又は再生機能を備えたギターアンプに関する。
【背景技術】
【０００２】
従来、ギター、ベース等の電子楽器には、楽音発生用のアンプ装置が設けられていた。そして、このアンプ装置は、音質の調整やディストーション等の効果付加回路を具備していた。しかし、基本的には単に入力信号を増幅し、スピーカから発音する機能を有する構造であった。
【０００３】
また従来のアンプ装置においては、例えば、実際の楽曲を鳴らしながら練習をするためには、外部にテープデッキやCDデッキ等を接続するか、或いは全く独立にステレオ等のオーディオ装置を使用して楽曲を鳴らす必要があり、煩雑であること、各装置を設置するのにスペースを要すること等の問題点があった。またリズム楽器等の自動伴奏を付ける場合においても外部に自動伴奏装置を付加する必要があり、前述と同様な問題点が考えられる。
【０００４】
そして、この種の問題点を解決するための手段として、文献（1）として示す特開平7-239683号の「電子楽器内蔵アンプ装置」がある。この発明は、装置単独で楽曲の自動演奏や自動伴奏も可能な電子楽器内蔵アンプ装置の提供を意図するものであり、その概要は、アナログ入力端子を有する、ギター用のアンプ装置において、記憶又は入力されたデジタル演奏情報に基づき、楽音信号を発生する電子楽器手段と、電子楽器手段の出力信号をアナログ入力端子から入力された信号と混合する混合手段と、混合された楽音信号を発音する手段とを具備することを特徴とした構成である。また文献（2）として示す特開2000-293177の「ケープルレスタイプの超小型・スピーカ内蔵エレキギターアンプ」がある。この発明は、エレキギターの演奏に欠くことのできないギターアンプ、エフェクター等の器具の設置や接続を軽減し、簡便化を追及し、また音量を適度に抑えることを可能とすることにより、例えば、騒音によるトラブルの発生を回避及び／又は防音設備を施さない部屋等での演奏、或いは時、場所、環境（屋内等の）を選ばず、周囲に気兼ね無く演奏行為ができる構造のエレキギターアンプの提供を意図するものであり、その概要は、可変式の差込みジャックである入力プラグを、エレキギターのケーブル接続口へ差込み、このエレキギターアンプ、エレキギターを接続することによりケーブルを一切必要とせず、さらにエフェクターと共に電源である電池と小型スピーカをもって構成したことを特徴とした構成である。
【０００５】
【特許文献１】特開平7-239683号
【０００６】
【特許文献２】特開2000-293177
【考案の開示】
【考案が解決しようとする課題】
【０００７】
前記文献（1）は、楽曲の自動演奏や自動伴奏も可能な電子楽器内蔵アンプ装置として開示されている。しかし、その具体的な機構と装置の開示がない。従って、本考案が目的とする構成、即ち、アンプ本体に設けたギター及び/又はヘッドフォン等のプラグを差込み用、また音の歪み・音量調整等をコントロールする等の各摘みと、高・中等の音域をコントロールする各摘みと、また録音装置の録音の再生、また録音装置の録音のスタンバイ、録音装置の録音の開始、又は録音装置の録音及び/又は再生の停止をコントロールする各ボタンと、録音装置の録音の再生と、また録音装置の録音のスタンバイ、録音装置の録音の開始、又は録音装置の録音及び/又は再生の停止を表示する各ランプと、ギターアンプ及び/又は録音装置のON・OFFをコントロールするスイッチとで構成したギターアンプに関し、この種の各ボタン・各ランプ又はスイッチ等の配置と、これらの位置関係等に関する記述が開示されていない。従って、本考案が目的とする使用の簡便性と、多目的の使用等を可能にするには問題を残す。殊に、各ランプに関する具体的な配置と、これらの位置関係等に関する記述の開示がない。従って、本考案が意図する構成、即ち、LEDのランプを介して高輝度に表示するには、演奏時等の照明下においての使用に、少なからず問題を残す処である。
【０００８】
また文献（2）は、可変式の差込みジャックである入力プラグを設けてエフェクター等の設置や接続を軽減することを意図した発明であり、ギターアンプの改良に関する構成である。しかし、この文献（2）は、本考案が目的とする録音及び/又は再生を構成としたギターアンプとしては有効でない。
【課題を解決するための手段】
【０００９】
請求項1の考案は、前記のような従来技術の問題点を改良し、装置単独で楽曲の演奏、再生と、この再生を利用して自動伴奏も可能な録音装置を備えたギターアンプの提供を意図する。また簡易なボタン操作及び／又は視認等を利用して、録音、再生等の目的を達成できるギターアンプの提供を意図する。
【００１０】
請求項1は、録音装置とスピーカ等の音響機器を内蔵してなるアンプ本体と、このアンプ本体に設けたギター及び/又はヘッドフォン等のプラグを差込む各端子と、音の歪み・音量調整等をコントロールする各摘みと、高・中等の音域をコントロールする各摘みと、また前記録音装置の録音の再生、またこの録音装置の録音のスタンバイ、録音装置の録音の開始、又はこの録音装置の録音及び/又は再生の停止をコントロールする各ボタンと、この録音装置の録音の再生と、また録音装置の録音のスタンバイ、録音装置の録音の開始、又はこの録音装置の録音及び/又は再生の停止を表示する各ランプと、ギターアンプ及び/又は前記録音装置のON・OFFをコントロールするスイッチとで構成したギターアンプである。
【００１１】
請求項2の考案は、請求項1の目的を達成すること、またこの目的を達成するのに最適な各ランプの提供と、ステージの如く、ライトの点灯又は消灯する等のあらゆる場所での使用においても、確実に視認できるランプの提供を意図する。
【００１２】
請求項2は、請求項1に記載の各ランプをLEDで構成し、前記ランプの輝度の特徴を発揮できる構成したギターアンプである。
【考案の効果】
【００１３】
請求項1の考案は、録音装置とスピーカ等の音響機器を内蔵してなるアンプ本体と、アンプ本体に設けたギター及び/又はヘッドフォン等のプラグを差込む各端子と、音の歪み・音量調整等をコントロールする各摘みと、高・中等の音域をコントロールする各摘みと、また前記録音装置の録音の再生、またこの録音装置の録音のスタンバイ、録音装置の録音の開始、又はこの録音装置の録音及び/又は再生の停止をコントロールする各ボタンと、録音装置の録音の再生と、また録音装置の録音のスタンバイ、録音装置の録音の開始、又はこの録音装置の録音及び/又は再生の停止を表示する各ランプと、ギターアンプ及び/又は録音装置のON・OFFをコントロールするスイッチとで構成したギターアンプである。
【００１４】
従って、請求項1の考案は、前述した従来技術の問題点を改良し、装置単独で楽曲の演奏、再生と、この再生を利用して自動伴奏も可能な録音装置を備えたギターアンプを提供できる特徴がある。また簡易なボタン操作及び／又は視認等を利用して、録音、再生等の目的を達成できるギターアンプを提供できる実益がある。
【００１５】
請求項2の考案は、請求項2は、請求項1に記載の各ランプをLEDで構成し、ランプの輝度の特徴を発揮できる構成としたギターアンプである。
【００１６】
従って、請求項2は、請求項1の目的を達成できること、またこの目的を達成するのに最適な各ランプを提供できることと、ステージの如く、ライトの点灯又は消灯する等のあらゆる場所での使用においても、確実に視認できるランプを提供できる特徴がある。
【考案を実施するための最良の形態】
【００１７】
本考案の一例を説明する。
【００１８】
1はギターアンプAを構成する取手2を上面に有するアンプ本体であり、このアンプ本体1には録音装置Bと、スピーカ3等の音響機器Cを内蔵する。そして、このギターアンプAは、小型・簡易型の構造とすることで、持運びに役立ち、またステージ、部屋等の片隅にセットできる等の実益がある。また前記録音装置Bは、図示しないROM、RAM等で構成したコンピュータとして、略5〜8分程度の録音ができる小型・簡易型の構造とする。図中4は集音マイク、5は配線、6は通音材を示す。
【００１９】
本考案のアンプ本体1の特徴は、前面の上部に設けた傾斜前面部に、順次、下記のギター等の楽器のプラグの差込み用の端子10、歪み具合調整用の摘み11と、音量調整用の摘み12と、高音域調整用の摘み13と、中音域調整用の摘み14と、また低音域調整用の摘み15と、ヘッドフォン差込み用の端子16と、録音装置の録音の再生を表示するランプ17と、さらに録音装置の録音のスタンバイ（状態）で点滅し、また録音の開始で点灯し、録音の終了で消灯等を表示するランプ18と、録音及び／又は再生の停止を表示するランプ19と、また録音装置の録音の再生をコントロールするボタン20と、さらに録音装置の録音のスタンバイ、また録音の開始をコントロールするボタン21と、録音及び／又は再生の停止をコントロールするボタン22と、又はギターアンプA及び/又は録音装置Cをコントロールするメインスイッチ23とを順次配列した構造にある。この構造を採用することで、前述した請求項1の作用効果を発揮できる。また前記各ボタン20〜22は、アンプ本体1以外に設ける構造も可能であり、例えば、ギターにセットした機器、またギター本体に設けることも可能である。
【００２０】
また前記ヘッドフォン差込み用の端子16に、ヘッドフォンのプラグを差込んだ状態では、音響機器Cのスピーカからは、音は出ないので、集中して聴取できる特徴があり、また当然であるが騒音問題の発生回避、或いは現実の演奏と、録音された演奏との共演、また現実の演奏のチェック等に利用できる特徴がある。さらに録音スタンバイ等を表示するランプ18が点滅した状態では、もう一度ボタンを押すことで、録音スタンバイ等を表示するランプ18が点灯し、録音を開始する。そして、録音が終了することで、当該録音スタンバイ等を表示するランプ18は消灯する。従って、この録音スタンバイを表示するランプ18が点滅、点灯等を確認することで、スタンバイ、録音等の状況をつぶさに確認できる特徴がある。
【図面の簡単な説明】
【００２１】
【図１】本考案のギターアンプの斜視図
【図２】本考案のギターアンプの要部の拡大正面図
【図３】本考案のギターアンプの断面図
【符号の説明】
【００２２】
1            アンプ本体
2            取手
3            スピーカ
4            集音マイク
5            配線
6            通音材
10           ギター等の楽器のプラグの差込み用の端子
11           歪み具合調整用の摘み
12           音量調整用の摘み
13           高音域調整用の摘み
14           中音域調整用の摘み
15           低音域調整用の摘み
16           ヘッドフォン差込み用の端子
17           録音装置の録音の再生を表示するランプ
18           録音装置の録音のスタンバイで点滅し、また録音の開始で点灯し、録音の             終了で消灯等を表示するランプ
19           録音及び／又は再生の停止を表示するランプ
20           録音装置の録音の再生をコントロールするボタン
21           録音装置の録音のスタンバイ、また録音の開始をコントロールするボタン
22           録音及び／又は再生の停止をコントロールするボタン
23           ギターアンプA及び/又は録音装置Cをコントロールするメインスイッチ
A            ギターアンプ
B            録音装置
C            音響機器
【図１】
0003102077.tif 000003
【図２】
0003102077.tif 000004
【図３】
0003102077.tif 000005